(57)【特許請求の範囲】
【請求項１】
ターゲットの吐出予定領域に流体を吐出する流体吐出装置であって、
前記ターゲットを搬送する搬送手段と、
前記ターゲットの搬送方向とは直交する直交方向に移動しながらノズルから前記ターゲットに流体を吐出可能な流体吐出手段と、
前記流体吐出手段と共に前記直交方向に移動し、前記ターゲットに形成された所定マークを検出可能な一つの検出手段と、
前記流体吐出手段の移動中に前記検出手段により前記直交方向の長さが前記搬送方向に沿って増加または減少する形状の前記所定マークが検出されたとき、前記所定マークの前記搬送方向の検出位置における前記直交方向の長さに基づいて、前記検出位置から前記吐出予定領域までの距離である吐出前距離を取得する吐出前距離取得手段と、
前記取得された吐出前距離を踏まえて前記搬送手段により前記ターゲットが搬送されると共に、前記直交方向に移動しながら前記ノズルから前記吐出予定領域に流体が吐出されるよう前記搬送手段と前記流体吐出手段とを制御する制御手段と、を備え、
前記ターゲットは、前記搬送方向に前記所定マークと前記吐出予定領域とが交互に配置されてなり、
前記制御手段は、現在の前記吐出予定領域への流体の吐出を終了する前において、前記検出手段により次の前記所定マークが検出されて前記吐出前距離取得手段により次の前記吐出前距離が取得された後で且つ次の前記吐出予定領域に流体を吐出可能な場合には、前記ノズルから現在の前記吐出予定領域および次の前記吐出予定領域に流体が吐出されるよう前記流体吐出手段を制御する手段である、ことを特徴とする、
流体吐出装置。
【請求項２】
請求項１記載の流体吐出装置であって、
前記検出手段は、前記流体吐出手段のノズルよりも前記搬送方向の上流側に配置されてなる手段である、
流体吐出装置。
【請求項３】
請求項１ないし２のいずれか１つの請求項に記載の流体吐出装置であって、
前記吐出前距離取得手段は、前記所定マークの前記搬送方向および前記直交方向の長さと、前記所定マークの前記搬送方向の検出位置における前記直交方向の長さと、を用いて前記吐出前距離を取得する手段である、
流体吐出装置。
【請求項４】
請求項１ないし３のいずれか１つの請求項に記載の流体吐出装置であって、
前記ターゲットは、前記搬送方向の所定間隔毎に前記吐出予定領域が配置されてなり、
前記吐出前距離取得手段は、前記検出手段により前記所定マークが検出されたときには前記所定マークよりも前記搬送方向の後方側の２以上の所定数の前記吐出予定領域の各々までの前記所定数の吐出前距離を取得する手段であり、
前記制御手段は、前記所定数の吐出前距離を踏まえて制御する手段である、
流体吐出装置。
【請求項５】
ターゲットを搬送する搬送手段と、前記ターゲットの搬送方向とは直交する直交方向に移動しながらノズルから前記ターゲットに流体を吐出可能な流体吐出手段と、前記流体吐出手段と共に前記直交方向に移動し前記ターゲットに形成された所定マークを検出可能な一つの検出手段と、を備え、前記ターゲットの吐出予定領域に流体を吐出する流体吐出装置の制御方法であって、
（ａ）前記流体吐出手段の移動中に前記検出手段により前記直交方向の長さが前記搬送方向に沿って増加または減少する形状の前記所定マークが検出されたとき、前記所定マークの前記搬送方向の検出位置における前記直交方向の長さに基づいて、前記検出位置から前記吐出予定領域までの距離である吐出前距離を取得し、
（ｂ）前記取得された吐出前距離を踏まえて前記搬送手段により前記ターゲットが搬送されると共に、前記直交方向に移動しながら前記ノズルから前記吐出予定領域に流体が吐出されるよう前記搬送手段と前記流体吐出手段とを制御し、
前記ターゲットは、前記搬送方向に前記所定マークと前記吐出予定領域とが交互に配置されてなり、
現在の前記吐出予定領域への流体の吐出を終了する前において、前記検出手段により次の前記所定マークが検出され、次の前記吐出前距離が取得された後で且つ次の前記吐出予定領域に流体を吐出可能な場合には、前記ノズルから現在の前記吐出予定領域および次の前記吐出予定領域に流体が吐出されるよう前記流体吐出手段を制御する、ことを特徴とする、
流体吐出装置の制御方法。
【請求項６】
ターゲットを搬送する搬送手段と、前記ターゲットの搬送方向とは直交する直交方向に移動しながらノズルから前記ターゲットに流体を吐出可能な流体吐出手段と、前記流体吐出手段と共に前記直交方向に移動し前記ターゲットに形成された所定マークを検出可能な一つの検出手段と、を備え、前記ターゲットの吐出予定領域に流体を吐出する流体吐出装置の制御プログラムであって、
（ａ）前記流体吐出手段の移動中に前記検出手段により前記直交方向の長さが前記搬送方向に沿って増加または減少する形状の前記所定マークが検出されたとき、前記所定マークの前記搬送方向の検出位置における前記直交方向の長さに基づいて、前記検出位置から前記吐出予定領域までの距離である吐出前距離を取得し、
（ｂ）前記取得された吐出前距離を踏まえて前記搬送手段により前記ターゲットが搬送されると共に、前記直交方向に移動しながら前記ノズルから前記吐出予定領域に流体が吐出されるよう前記搬送手段と前記流体吐出手段とを制御し、
前記ターゲットは、前記搬送方向に前記所定マークと前記吐出予定領域とが交互に配置されてなり、
現在の前記吐出予定領域への流体の吐出を終了する前において、前記検出手段により次の前記所定マークが検出され、次の前記吐出前距離が取得された後で且つ次の前記吐出予定領域に流体を吐出可能な場合には、前記ノズルから現在の前記吐出予定領域および次の前記吐出予定領域に流体が吐出されるよう前記流体吐出手段を制御する、
ことをコンピューターに実行させる流体吐出装置の制御プログラム。
【発明の詳細な説明】
【技術分野】
【０００１】
本発明は、流体吐出装置およびその制御方法並びに制御プログラムに関する。
【背景技術】
【０００２】
従来、この種の流体吐出装置としては、打ち抜き形状の部分と、その打ち抜き形状の部分に印画を行なうための印画開始位置の基準として打ち抜き形状に対して紙幅方向に配置された略四角形の印画基準マークと、が形成されたロール紙の印画基準マークをフォトセンサーによって検出すると、その時点からロール紙を巻き戻して印画開始位置に戻し、その後に改めてロール紙を所定方向に搬送しながら印刷を行なうものが提案されている（例えば、特許文献１参照）。
【先行技術文献】
【特許文献】
【０００３】
【特許文献１】特開平１１−２５４８６６号公報
【発明の概要】
【発明が解決しようとする課題】
【０００４】
上述したように、印画基準マークが四角形などの場合、ロール紙を巻き戻す量を決定するのに用いる印画開始位置までの距離を取得するためには、印画基準マークの所定方向やその逆方向の端部を検出する必要があるという課題があった。
【０００５】
本発明の流体吐出装置およびその制御方法並びにプログラム、ターゲットは、ターゲットの所定マークの搬送方向における検出位置からターゲットの吐出予定領域までの距離をより容易に取得できるようにすることを主目的とする。
【０００６】
本発明の流体吐出装置およびその制御方法並びにプログラム、ターゲットは、上述の主目的を達成するために以下の手段を採った。
【課題を解決するための手段】
【０００７】
本発明の流体吐出装置は、
ターゲットの吐出予定領域に流体を吐出する流体吐出装置であって、
前記ターゲットを搬送する搬送手段と、
前記ターゲットの搬送方向とは直交する直交方向に移動しながらノズルから前記ターゲットに流体を吐出可能な流体吐出手段と、
前記流体吐出手段と共に前記直交方向に移動し、前記ターゲットに形成された所定マークを検出可能な一つの検出手段と、
前記流体吐出手段の移動中に前記検出手段により前記直交方向の長さが前記搬送方向に沿って増加または減少する形状の前記所定マークが検出されたとき、前記所定マークの前記搬送方向の検出位置における前記直交方向の長さに基づいて、前記検出位置から前記吐出予定領域までの距離である吐出前距離を取得する吐出前距離取得手段と、
前記取得された吐出前距離を踏まえて前記搬送手段により前記ターゲットが搬送されると共に、前記直交方向に移動しながら前記ノズルから前記吐出予定領域に流体が吐出されるよう前記搬送手段と前記流体吐出手段とを制御する制御手段と、を備え、
前記ターゲットは、前記搬送方向に前記所定マークと前記吐出予定領域とが交互に配置されてなり、
前記制御手段は、現在の前記吐出予定領域への流体の吐出を終了する前において、前記検出手段により次の前記所定マークが検出されて前記吐出前距離取得手段により次の前記吐出前距離が取得された後で且つ次の前記吐出予定領域に流体を吐出可能な場合には、前記ノズルから現在の前記吐出予定領域および次の前記吐出予定領域に流体が吐出されるよう前記流体吐出手段を制御する手段である、ことを要旨とする。
【０００８】
この本発明の流体吐出装置では、流体吐出手段の移動中にマーク検出手段により直交方向の長さが搬送方向に沿って増加または減少する形状の所定マークが検出されたときに、所定マークの搬送方向の検出位置における直交方向の長さに基づいて、検出位置から吐出予定領域までの距離である吐出前距離を取得する。そして、取得した吐出前距離を踏まえて搬送手段によりターゲットが搬送されると共に直交方向に移動しながらノズルから吐出予定領域に流体が吐出されるよう搬送手段と流体吐出手段とを制御する。したがって、所定マークの搬送方向の検出位置における直交方向の長さに基づいて吐出前距離を取得するから、所定マークの搬送方向の端部を検出する必要がなく、吐出前距離をより容易に取得することができる。しかも、搬送方向に所定マークと吐出予定領域とが交互に配置されてなるターゲットの各吐出予定領域に順に流体を吐出していく場合、吐出予定領域に流体を吐出するための流体吐出手段の移動中に、次の所定マークを検出して次の吐出前距離を取得することが可能となるから、複数の吐出予定領域への流体の吐出を完了するまでの時間をより短縮することができる。ここで、「所定マーク」は、直交方向の辺を有する三角形や直交方向の二辺を有する台形などである、ものとすることもできるし、穴である、ものとすることもできる。また、所定マークについての「直交方向の長さが搬送方向に沿って増加または減少する形状」とは、搬送方向の任意の位置における直交方向の長さと、その任意の位置から搬送方向の端部までの長さと、が１対１で対応することを意味する。
【０００９】
こうした本発明の流体吐出装置において、前記所定マーク検出手段は、前記流体吐出手段のノズルよりも前記搬送方向の上流側に配置されてなる手段である、ものとすることもできる。この場合、前記ターゲットは、前記搬送方向に前記所定マークと前記吐出予定領域とが交互に配置されてなり、前記制御手段は、現在の前記吐出予定領域への流体の吐出を終了する前において、前記マーク検出手段により次の前記所定マークが検出されて前記吐出前距離取得手段により次の前記吐出前距離が取得された後で且つ次の前記吐出予定領域に流体を吐出可能な場合には、前記ノズルから現在の前記吐出予定領域および次の前記吐出予定領域に流体が吐出されるよう前記流体吐出手段を制御する手段である、ものとすることもできる。こうすれば、複数の吐出予定領域への流体の吐出を完了するまでの時間をより短縮することができる。
【００１０】
また、本発明の流体吐出装置において、前記吐出前距離取得手段は、前記所定マークの前記搬送方向および前記直交方向の長さと、前記所定マークの前記搬送方向の検出位置における前記直交方向の長さと、を用いて前記吐出前距離を取得する手段である、ものとすることもできる。
【００１１】
あるいは、本発明の流体吐出装置において、前記ターゲットは、前記搬送方向の所定間隔毎に前記吐出予定領域が配置されてなり、前記吐出前距離取得手段は、前記マーク検出手段により前記所定マークが検出されたときには前記所定マークよりも前記搬送方向の後方側の２以上の所定数の前記吐出予定領域の各々までの前記所定数の吐出前距離を取得する手段であり、前記制御手段は、前記所定数の吐出前距離を踏まえて制御する手段である、ものとすることもできる。
【００１２】
本発明の流体吐出装置の制御方法は、
ターゲットを搬送する搬送手段と、前記ターゲットの搬送方向とは直交する直交方向に移動しながらノズルから前記ターゲットに流体を吐出可能な流体吐出手段と、前記流体吐出手段と共に前記直交方向に移動し前記ターゲットに形成された所定マークを検出可能な一つの検出手段と、を備え、前記ターゲットの吐出予定領域に流体を吐出する流体吐出装置の制御方法であって、
（ａ）前記流体吐出手段の移動中に前記検出手段により前記直交方向の長さが前記搬送方向に沿って増加または減少する形状の前記所定マークが検出されたとき、前記所定マークの前記搬送方向の検出位置における前記直交方向の長さに基づいて、前記検出位置から前記吐出予定領域までの距離である吐出前距離を取得し、
（ｂ）前記取得された吐出前距離を踏まえて前記搬送手段により前記ターゲットが搬送されると共に、前記直交方向に移動しながら前記ノズルから前記吐出予定領域に流体が吐出されるよう前記搬送手段と前記流体吐出手段とを制御し、
前記ターゲットは、前記搬送方向に前記所定マークと前記吐出予定領域とが交互に配置されてなり、
現在の前記吐出予定領域への流体の吐出を終了する前において、前記検出手段により次の前記所定マークが検出され、次の前記吐出前距離が取得された後で且つ次の前記吐出予定領域に流体を吐出可能な場合には、前記ノズルから現在の前記吐出予定領域および次の前記吐出予定領域に流体が吐出されるよう前記流体吐出手段を制御する、
ことを特徴とする。
【００１３】
この本発明の流体吐出装置の制御方法では、流体吐出手段の移動中にマーク検出手段により直交方向の長さが搬送方向に沿って増加または減少する形状の所定マークが検出されたときに、所定マークの搬送方向の検出位置における直交方向の長さに基づいて、検出位置から吐出予定領域までの距離である吐出前距離を取得する。そして、取得した吐出前距離を踏まえて搬送手段によりターゲットが搬送されると共に直交方向に移動しながらノズルから吐出予定領域に流体が吐出されるよう搬送手段と流体吐出手段とを制御する。したがって、所定マークの搬送方向の検出位置における直交方向の長さに基づいて吐出前距離を取得するから、所定マークの搬送方向の端部を検出する必要がなく、吐出前距離をより容易に取得することができる。しかも、搬送方向に所定マークと吐出予定領域とが交互に配置されてなるターゲットの各吐出予定領域に順に流体を吐出していく場合、吐出予定領域に流体を吐出するための流体吐出手段の移動中に、次の所定マークを検出して次の吐出前距離を取得することが可能となるから、複数の吐出予定領域への流体の吐出を完了するまでの時間をより短縮することができる。
【００１４】
本発明のプログラムは、
ターゲットを搬送する搬送手段と、前記ターゲットの搬送方向とは直交する直交方向に移動しながらノズルから前記ターゲットに流体を吐出可能な流体吐出手段と、前記流体吐出手段と共に前記直交方向に移動し前記ターゲットに形成された所定マークを検出可能な一つの検出手段と、を備え、前記ターゲットの吐出予定領域に流体を吐出する流体吐出装置の制御プログラムであって、
（ａ）前記流体吐出手段の移動中に前記検出手段により前記直交方向の長さが前記搬送方向に沿って増加または減少する形状の前記所定マークが検出されたとき、前記所定マークの前記搬送方向の検出位置における前記直交方向の長さに基づいて、前記検出位置から前記吐出予定領域までの距離である吐出前距離を取得し、
（ｂ）前記取得された吐出前距離を踏まえて前記搬送手段により前記ターゲットが搬送されると共に、前記直交方向に移動しながら前記ノズルから前記吐出予定領域に流体が吐出されるよう前記搬送手段と前記流体吐出手段とを制御し、
前記ターゲットは、前記搬送方向に前記所定マークと前記吐出予定領域とが交互に配置されてなり、
現在の前記吐出予定領域への流体の吐出を終了する前において、前記検出手段により次の前記所定マークが検出され、次の前記吐出前距離が取得された後で且つ次の前記吐出予定領域に流体を吐出可能な場合には、前記ノズルから現在の前記吐出予定領域および次の前記吐出予定領域に流体が吐出されるよう前記流体吐出手段を制御する、
ことを特徴とする。
このプログラムは、コンピューターが読み取り可能な記録媒体（例えばハードディスク、ＲＯＭ、ＦＤ、ＣＤ、ＤＶＤなど）に記録されていてもよいし、伝送媒体（インターネットやＬＡＮなどの通信網）を介してあるコンピューターから別のコンピューターへ配信されてもよいし、その他どのような形で授受されてもよい。このプログラムを一つのコンピューターに実行させるか又は複数のコンピューターに各ステップを分担して実行させれば、上述した流体吐出装置の制御方法の各ステップが実行されるため、該制御方法と同様の作用効果が得られる。
【００１５】
本発明のターゲットは、
ターゲットを搬送する搬送手段と、前記ターゲットの搬送方向とは直交する直交方向に移動しながらノズルから前記ターゲットに流体を吐出可能な流体吐出手段と、前記流体吐出手段と共に前記直交方向に移動し前記ターゲットに形成された所定マークを検出可能なマーク検出手段と、前記流体吐出手段の移動中に前記マーク検出手段により前記所定マークが検出されたとき、前記所定マークの前記搬送方向の検出位置における前記直交方向の長さに基づいて、前記検出位置から前記吐出予定領域までの距離である吐出前距離を取得する吐出前距離取得手段と、前記取得された吐出前距離を踏まえて前記搬送手段により前記ターゲットが搬送されると共に前記直交方向に移動しながら前記ノズルから前記吐出予定領域に流体が吐出されるよう前記搬送手段と前記流体吐出手段とを制御する制御手段と、を備える流体吐出装置に用いられるターゲットであって、
前記所定マークは、前記直交方向の長さが前記搬送方向に沿って増加または減少する形状に形成されてなる、
ことを特徴とする。
【００１６】
この本発明のターゲットでは、上述した本発明の流体吐出装置に用いられ、所定マークが直交方向の長さが搬送方向に沿って増加または減少する形状に形成されてなるから、吐出前距離をより容易に取得することができる。
【００１７】
こうした本発明のターゲットにおいて、前記所定マークは、前記直交方向の辺を有する三角形，前記直交方向の二辺を有する台形のいずれかである、ものとすることもできる。また、前記所定マークは、穴である、ものとすることもできる。
【図面の簡単な説明】
【００１８】
【図１】プリンター２０の構成の概略を示す構成図。
【図２】記録紙Ｐの一例を示す説明図。
【図３】印刷処理ルーチンの一例を示すフローチャート。
【図４】穴５４の境界座標を検出したときの様子を示す説明図。
【図５】記録紙Ｐと印刷ヘッド２４との搬送方向の位置関係の一例を示す説明図。
【図６】記録紙Ｐと印刷ヘッド２４との搬送方向の位置関係の一例を示す説明図。
【発明を実施するための形態】
【００１９】
次に、本発明の実施の形態を図面を用いて説明する。図１は、本発明の一実施形態であるプリンター２０の構成の概略を示す構成図である。本実施形態のプリンター２０は、図１に示すように、印刷ヘッド２４やキャリッジ２２などにより構成されるプリンター機構２１と、駆動モーター３３により駆動される紙送りローラー３５を含みロール５０から引き出された記録紙Ｐを図中奥から手前方向（以下、搬送方向という）に搬送する紙送り機構３１と、プリンター２０全体をコントロールするコントローラー７０と、を備える。
【００２０】
プリンター機構２１は、キャリッジベルト３２とキャリッジモーター３４とによりガイド２８に沿って図中左右方向（搬送方向とは直交する直交方向、以下、直交方向または主走査方向という）に往復動するキャリッジ２２と、このキャリッジ２２に搭載されイエロー（Ｙ）、マゼンタ（Ｍ）、シアン（Ｃ）、ブラック（Ｋ）の各色のインクを個別に収容したインクカートリッジ２６と、各インクカートリッジ２６から供給された各インクに圧力をかけてノズル２３から流体としてのインク滴を吐出する印刷ヘッド２４と、印刷中の記録紙Ｐを支持する支持部材としてのプラテン４４と、を備える。キャリッジ２２の近傍には、キャリッジ２２の位置を検出するリニア式エンコーダー２５が配置されており、このリニア式エンコーダー２５を用いてキャリッジ２２のポジションが管理可能となっている。印刷ヘッド２４は、キャリッジ２２の下部に設けられており、圧電素子に電圧をかけることによりこの圧電素子を変形させてインクを加圧する方式により印刷ヘッド２４の下面に設けられたノズル２３から各色のインクを吐出するものである。なお、インクへ圧力をかける機構は、ヒーターの熱による気泡の発生によるものとしてもよい。印刷ヘッド２４の下面側でノズル２３よりも図中奥側（搬送方向の上流側）には、記録紙Ｐに向かって発光した後の反射光を受光して、記録紙Ｐに開けられた穴５４と記録紙Ｐとの境界の座標（以下、境界座標という）を検出するフォトセンサー２７が配設されている。このフォトセンサー２７は、キャリッジ２２と共に主走査方向に移動するから、キャリッジ２２の移動中に、穴５４の主走査方向（紙幅方向）における境界座標を検出することができる。インクカートリッジ２６は、図示しないが、溶媒としての水に着色剤としての染料又は顔料を含有したシアン（Ｃ），マゼンタ（Ｍ），イエロー（Ｙ），ブラック（Ｋ）などの印刷用に用いるインクを各々収納する容器として構成されており、キャリッジ２２に着脱可能に装着されている。
【００２１】
コントローラー７０は、図１に示すように、ＣＰＵ７２を中心とするマイクロプロセッサとして構成されており、各種処理プログラムを記憶しデータを書き換え可能なフラッシュＲＯＭ７３と、一時的にデータを記憶したりデータを保存したりするＲＡＭ７４とユーザーＰＣ１０などの外部機器との情報のやり取りを行うインターフェイス（Ｉ／Ｆ）７９と、図示しない入出力ポートとを備えている。このコントローラー７０には、リニア式エンコーダー２５からのポジション信号や、フォトセンサー２７からの穴５４の境界座標などが入力ポートを介して入力される。コントローラー７０からは、キャリッジモーター３４への駆動信号，印刷ヘッド２４への駆動信号，駆動モーター３３への駆動信号などが出力ポートを介して出力される。
【００２２】
こうして構成されたプリンター２０で用いられる記録紙Ｐは、図２に示すように、搬送方向の所定間隔毎に、画像を印刷するための印刷予定領域５２が設けられており、各印刷予定領域５２に対して搬送方向の前方側に所定距離Ｌ０だけ離れた位置には、印刷予定領域５２に印刷を行なうための位置合わせに用いられる穴５４が開けられている。ここで、本実施形態では、記録紙Ｐは、シール（紙やフィルムなど）が剥離可能に台紙に貼り付けられたシール用紙であり、印刷予定領域５２は、シール用紙のシールのみに入れられた長方形の切り込み内の領域であるものとした。また、穴５４は、その幅（紙幅方向の長さ）が搬送方向に沿って増加または減少する（搬送方向の任意の位置における幅と、その任意の位置から搬送方向の端部までの長さや後述の印刷前距離と、が１対１で対応する）形状に形成されており、本実施形態では、紙幅方向の辺を有する三角形（図２の例では、幅ＳＷで高さ（搬送方向の長さ）ＳＨの三角形、例えば、正三角形や二等辺三角形など）に形成されるものとした。
【００２３】
次に、こうして構成された本実施形態のプリンター２０の動作、特に、ロール５０から引き出された記録紙Ｐを搬送しながら複数の印刷予定領域５２のそれぞれに印刷を行なっていく際の動作について説明する。図３は、ＣＰＵ７２により実行される印刷処理ルーチンの一例を示すフローチャートである。このルーチンは、ユーザーＰＣ１０から印刷ジョブ（印刷データや指定部数など）を受信して記録紙Ｐに印刷を行なう際に実行される。
【００２４】
印刷処理ルーチンが実行されると、ＣＰＵ７２は、まず、何部目の印刷であるかを示す番号ｎに値１を設定する（ステップＳ１００）。そして、紙送りローラー３５によって予め定められた所定量だけ記録紙Ｐが搬送されるよう駆動モーター３３を駆動制御する紙送り処理と（ステップＳ１１０）、キャリッジ２２が主走査方向に移動するようキャリッジモーター３４を駆動制御するキャリッジ移動処理と（ステップＳ１２０）、をキャリッジ２２の移動中にフォトセンサー２７によってｎ部目の印刷予定領域よりも前方側に形成された穴５４の境界座標を検出するまで繰り返し実行し（ステップＳ１１０〜Ｓ１３０）、穴５４の境界座標を検出すると（ステップＳ１３０）、検出した境界座標から得られる穴５４の幅ｗ（ｎ）に基づいてｎ部目の印刷予定領域までの距離（以下、印刷前距離Ｌ（ｎ）という）を計算する（ステップＳ１４０）。ここで、印刷前距離Ｌ（ｎ）は、穴５４の幅ｗ（ｎ）と、穴５４の高さＳＨおよび幅ＳＷと、穴５４と印刷予定領域との距離Ｌ０と、を用いて次式（１）により計算することができる。参考のために、穴５４の境界座標を検出したときの様子を図４に示す。このように、検出した穴５４の境界座標から得られる穴５４の幅ｗ（ｎ）を用いてｎ部目についての印刷前距離Ｌ（ｎ）を計算することができるから、穴５４の搬送方向の端部を検出する必要がなく、印刷前距離Ｌ（ｎ）をより容易に計算することができる。
【００２５】
L(n)=SH・(1-w(n)/SW)+L0                (1)
【００２６】
こうして印刷前距離Ｌ（ｎ）を計算すると、計算した印刷前距離Ｌ（ｎ）やノズル２３とフォトセンサー２７との位置関係などを考慮して得られる搬送量（以下、印刷前搬送量という）だけ紙送りローラー３５によって記録紙Ｐが搬送されるよう駆動モーター３３を駆動制御する頭出し処理を行ない（ステップＳ１５０）、受信した印刷データに基づいて、キャリッジ２２の移動を伴ってノズル２３からインク滴が吐出されるようキャリッジモーター３４や印刷ヘッド２４を駆動制御する印刷処理を行なうことによってｎ部目の印刷を開始する（ステップＳ１６０）。
【００２７】
続いて、ｎ＋１部目の印刷があるか否か（ｎ部目の印刷が指定部数目の印刷ではないか否か）を判定し（ステップＳ１７０）、ｎ＋１部目の印刷があると判定された場合には、後述のステップＳ２２０の処理によってｎ＋１部目についての印刷前距離Ｌ（ｎ＋１）を計算済みであるか否かを判定し（ステップＳ１８０）、ｎ＋１部目についての印刷前距離Ｌ（ｎ＋１）を未だ計算していないと判定された場合には、印刷のためのキャリッジ２２の移動中にフォトセンサー２７によってｎ部目の印刷予定領域とｎ＋１部目の印刷予定領域とに挟まれた穴５４の境界座標を検出したか否かを判定する（ステップＳ１９０）。
【００２８】
ステップＳ１７０〜Ｓ１９０で、ｎ＋１部目の印刷がないと判定された場合や、ｎ＋１部目の印刷はあるがｎ＋１部目についての印刷前距離Ｌ（ｎ＋１）を未だ計算しておらず穴５４の境界座標も未だ検出していないと判定された場合には、紙送り処理を行ない（ステップＳ２００）、印刷データに基づいてｎ部目についての印刷処理を行ない（ステップＳ２１０）、ｎ部目の印刷が完了したか否かを判定し（ステップＳ２７０）、ｎ部目の印刷が未だ完了していない場合には、ステップＳ１７０に戻る。
【００２９】
ステップＳ１７０〜Ｓ１９０で、ｎ＋１部目の印刷がありｎ＋１部目についての印刷前距離Ｌ（ｎ＋１）を未だ計算していないが穴５４の境界座標を検出したと判定された場合には、前述のステップＳ１４０の処理と同様に、穴５４の境界座標から得られる穴５４の幅ｗ（ｎ＋１）に基づいてｎ＋１部目についての印刷前距離Ｌ（ｎ＋１）を計算する（ステップＳ２２０）。穴５４の境界座標を検出したときの記録紙Ｐと印刷ヘッド２４との搬送方向の位置関係の一例を図５に示す。このように、検出した穴５４の幅ｗ（ｎ＋１）を用いて次の印刷前距離Ｌ（ｎ＋１）を計算することができるから、次の印刷前距離Ｌ（ｎ＋１）をより容易に計算することができる。しかも、ｎ部目の印刷のためのキャリッジ２２の移動中に次の穴５４の幅ｗ（ｎ＋１）を検出して次の印刷前距離Ｌ（ｎ＋１）を計算することが可能となるから、ｎ部目の印刷を完了した後にしか次の印刷前距離Ｌ（ｎ＋１）を計算することができないものに比して複数部の印刷を完了するまでの時間をより短縮することができる。
【００３０】
続いて、紙送り処理を行ない（ステップＳ２３０）、印刷前距離Ｌ（ｎ＋１）を考慮して、印刷ヘッド２４のノズル２３からｎ＋１部目の印刷予定領域にインク滴を吐出可能である（キャリッジ２２の移動時に印刷ヘッド２４の一部のノズル２３がｎ＋１部目の印刷予定領域の上方を通過する）か否かを判定し（ステップＳ２４０）、ノズル２３からｎ＋１部目の印刷予定領域にインク滴を吐出可能でないと判定された場合には、印刷データに基づいてｎ部目についての印刷処理を行ない（ステップＳ２５０）、ノズル２３からｎ＋１部目の印刷予定領域にインク滴を吐出可能であると判定された場合には、印刷データに基づいてｎ部目およびｎ＋１部目についての印刷処理を行ない（ステップＳ２６０）、ｎ部目についての印刷が完了したか否かを判定し（ステップＳ２７０）、ｎ部目についての印刷が完了していないと判定された場合には、ステップＳ１７０に戻る。ノズル２３からｎ＋１部目の印刷予定領域にインク滴を吐出可能である場合の記録紙Ｐと印刷ヘッド２４との搬送方向の位置関係の一例を図６に示す。このように、ノズル２３からｎ＋１部目の印刷予定領域にインク滴を吐出可能である場合に、ｎ部目とｎ＋１部目とを同時に印刷することにより、複数部の印刷を完了するまでの時間をより短縮することができる。
【００３１】
ステップＳ１７０，Ｓ１８０で、ｎ＋１部目の印刷がありｎ＋１部目についての印刷前距離Ｌ（ｎ＋１）を計算済みであると判定された場合には、紙送り処理と、ｎ部目についての印刷処理またはｎ部目およびｎ＋１部目についての印刷処理と、を行ない（ステップＳ２３０〜Ｓ２６０）、ｎ部目についての印刷が完了したか否かを判定し（ステップＳ２７０）、ｎ部目についての印刷が完了していないと判定された場合には、ステップＳ１７０に戻る。
【００３２】
こうしてステップＳ１７０〜Ｓ２７０の処理を繰り返し実行してｎ部目についての印刷を完了すると（ステップＳ２７０）、指定部数についての印刷が完了したか否かを判定し（ステップＳ２８０）、未だ指定部数についての印刷が完了していないと判定された場合には、番号ｎをインクリメントし（ステップＳ２９０）、インクリメント後のｎ部目の印刷が既に開始されているか否かを判定し（ステップＳ３００）、インクリメント後のｎ部目の印刷が既に開始されていると判定された場合には、ステップＳ１７０に戻って次の印刷予定領域への印刷を行なう（ステップＳ１７０〜Ｓ２７０）。一方、インクリメント後のｎ部目の印刷が未だ開始されていないと判定された場合には、インクリメント後のｎ部目についての印刷前距離Ｌ（ｎ）を既に計算済みであるか否かを判定し（ステップＳ３１０）、インクリメント後のｎ部目についての印刷前距離Ｌ（ｎ）を計算済みであると判定された場合には、ステップＳ１５０に戻って次の印刷予定領域への頭出し処理を行なってその印刷を行ない（ステップＳ１５０〜Ｓ２７０）、インクリメント後のｎ部目についての印刷前距離Ｌ（ｎ）を未だ計算していないと判定された場合には、紙送り処理とキャリッジ移動処理とによって穴５４の境界座標を検出してｎ部目についての印刷前距離Ｌ（ｎ）を計算し（ステップＳ１１０〜Ｓ１４０）、その印刷前距離Ｌ（ｎ）を踏まえて頭出し処理を行なって印刷を行なう（ステップＳ１５０〜Ｓ２７０）。こうして指定部数についての印刷が完了すると（ステップＳ２８０）、紙送りローラー３５によって排紙のために記録紙Ｐが搬送されるよう駆動モーター３３を駆動制御する排紙処理を行なって（ステップＳ３２０）、本ルーチンを終了する。
【００３３】
ここで、本実施形態の構成要素と本発明の構成要素との対応関係を明らかにする。本実施形態の紙送りローラー３５や駆動モーター３３を含む紙送り機構３１が本発明の「搬送手段」に相当し、キャリッジ２２やキャリッジモーター３４，ノズル２３，印刷ヘッド２４を含むものが「流体吐出手段」に相当し、フォトセンサー２７が「マーク検出手段」に相当し、図３の印刷処理ルーチンのステップＳ１４０，Ｓ２２０の処理を実行するコントローラー７０が「吐出前距離取得手段」に相当し、図３の印刷処理ルーチンのステップＳ１５０，Ｓ１６０，Ｓ２００，Ｓ２１０，Ｓ２３０〜Ｓ２７０の処理を実行するコントローラー７０が「制御手段」に相当する。
【００３４】
以上説明した実施例のプリンター２０によれば、キャリッジ２２の移動中にフォトセンサー２７によって穴５４の主走査方向の境界座標を検出したときには、検出した穴５４の境界座標から得られる穴５４の幅に基づいて印刷予定領域までの距離としての印刷前距離を計算し、計算した印刷前距離を踏まえて紙送り機構３１によって記録紙Ｐが搬送されると共に受信した印刷データに基づいてキャリッジ２２の移動を伴ってノズル２３からインク滴が吐出されるよう駆動モーター３３やキャリッジモーター３４，印刷ヘッド２４を駆動制御するから、穴５４の搬送方向の端部を検出する必要がなく、印刷前距離をより容易に計算することができる。しかも、ｎ部目の印刷のためのキャリッジ２２の移動中に次の穴５４の幅ｗ（ｎ＋１）を検出して次の印刷前距離Ｌ（ｎ＋１）を計算することが可能となるから、複数部の印刷を完了するまでの時間をより短縮することができる。
【００３５】
なお、本発明は上述した実施形態に何ら限定されることはなく、本発明の技術的範囲に属する限り種々の態様で実施し得ることはいうまでもない。
【００３６】
上述した実施形態では、記録紙Ｐには、図２に示したように、紙幅方向の辺を有すると共にその辺よりも記録紙Ｐの前方側に頂点を有する三角形の穴５４が形成されるものとしたが、紙幅方向の辺よりも記録紙Ｐの後端側（ロール５０側）に頂点を有する三角形の穴５４が形成されるものとしてもよい。また、穴５４の形状は、三角形に限られず、その幅（紙幅方向の長さ）が搬送方向に沿って増加または減少する形状に形成されるものであれば如何なるものとしてもよく、例えば、紙幅方向の二辺を有する台形などとしても構わない。
【００３７】
上述した実施形態では、穴５４の主走査方向（紙幅方向）の境界座標を検出すると共に検出した穴５４の境界座標から得られる穴５４の幅を用いて印刷前距離を計算するものとしたが、穴５４の境界座標を検出せずに、穴５４の幅を検出すると共に検出した穴５４の幅を用いて印刷前距離を計算するものとしてもよい。
【００３８】
上述した実施形態では、検出した穴５４の境界座標から得られる穴５４の幅ｗ（ｎ）を用いて式（１）により印刷前距離Ｌ（ｎ）を計算するものとしたが、穴５４の幅（ｎ）を、穴５４の幅と距離Ｌ（ｎ）との関係として予め定められたテーブルに適用して印刷前距離Ｌ（ｎ）を設定するものとしてもよい。
【００３９】
上述した実施形態では、例えば、ｎ部目の印刷予定領域の次の穴５４の境界座標を検出したときにｎ＋１部目についての印刷前距離Ｌ（ｎ＋１）を計算するものとしたが、印刷予定領域が搬送方向の所定間隔毎に配置されている場合には、ｎ＋１部目についての印刷前距離Ｌ（ｎ＋１）だけでなく、ｎ＋１部目からｎ＋ｋ（ｋは２以上の整数）部目までの各々についての印刷前距離Ｌ（ｎ＋１）〜Ｌ（ｎ＋ｋ）をまとめて計算するものとしてもよい。なお、この場合、フォトセンサー２７によってｋ個の印刷予定領域毎に次の穴５４の境界座標を検出するものとしてもよい。
【００４０】
上述した実施形態では、キャリッジ２２の移動中に次の穴５４の境界座標を検出したときに次の印刷前距離を計算するものとしたが、最初に一度だけまたは穴５４の境界座標を所定回数検出する毎に印刷前距離の基本値を計算し、それ以外については、穴５４の境界座標を検出したときに、穴５４の境界座標から得られる穴５４の幅から推定される紙送り量の推定値と実際の紙送り量との誤差を計算し、計算した誤差を用いて印刷予定領域毎に印刷前距離を補正していくものとしてもよい。
【００４１】
上述した実施形態では、記録紙Ｐには、搬送方向に、１つの穴５４と１つの印刷予定領域とが交互に配置されるものとしたが、１つの穴５４と２以上の所定数の印刷予定領域とが交互に配置されるものとしてもよい。
【００４２】
上述した実施形態では、記録紙Ｐには、穴５４が開けられているものとしたが、穴５４に限定されるものではなく、記録紙Ｐの色とは異なる色の印など、直交方向の長さが搬送方向に沿って増加または減少する形状で印刷予定領域に対する所定位置に形成されるものであれば如何なるものとしてもよい。
【００４３】
上述した実施形態では、記録紙Ｐは、シール（紙やフィルムなど）が剥離可能に台紙に貼り付けられたシール用紙であるものとしたが、シール用紙に限られず、普通紙やマット紙など如何なるものとしてもよい。また、上述した実施形態では、印刷予定領域５２は、シール用紙のシールのみに入れられた長方形の切り込み内の領域であるものとしたが、長方形に限られず、円形や三角形など如何なる形状であるとしてもよいし、切り込みに代えて、枠などが形成されているものとしてもよい。
【００４４】
上述した実施形態では、本発明の流体吐出装置をプリンター２０に具体化した例を示したが、インク以外の他の液体や機能材料の粒子が分散されている液状体（分散液）、ジェルのような流状体などを吐出する流体吐出装置に具体化してもよいし、流体として吐出可能な固体を吐出する流体吐出装置に具体化してもよい。例えば、液晶ディスプレイ、ＥＬ（エレクトロルミネッセンス）ディスプレイ及び面発光ディスプレイの製造などに用いられる電極材や色材などの材料を溶解した液体を吐出する液体吐出装置、同材料を分散した液状体を吐出する液状体吐出装置、精密ピペットとして用いられ試料となる液体を吐出する液体吐出装置としてもよい。また、時計やカメラ等の精密機械にピンポイントで潤滑油を吐出する液体吐出装置、光通信素子等に用いられる微小半球レンズ（光学レンズ）などを形成するために紫外線硬化樹脂等の透明樹脂液を基板上に吐出する液体吐出装置、基板などをエッチングするために酸又はアルカリ等のエッチング液を吐出する液体吐出装置、ジェルを吐出する流状体吐出装置、トナーなどの粉体を吐出する粉体吐出式記録装置としてもよい。
【００４５】
上述した実施形態では、印刷機能を備えるプリンター２０として説明したが、印刷機能に加えてスキャナー機能を備えたマルチファンクションプリンターに適用するものとしてもよいし、印刷機能を備えるファクシミリ装置などに適用するものとしてもよい。
【００４６】
上述した実施形態では、本発明の流体吐出装置をプリンター２０に具体化した例を用いて説明したが、流体吐出装置の制御方法の形態とするものとしてもよいし、流体吐出装置の各ステップを１または複数のコンピューターに実現させるためのプログラムの形態とするものとしてもよい。また、こうした流体吐出装置に用いられるターゲットの形態とするものとしてもよい。
【符号の説明】
【００４７】
１０  ユーザＰＣ、２０  プリンター、２１  プリンター機構、２２  キャリッジ、２３  ノズル、２４  印刷ヘッド、２５  リニア式エンコーダー、２６  インクカートリッジ、２７  フォトセンサー、２８  ガイド、３１  紙送り機構、３２  キャリッジベルト、３３  駆動モーター、３４  キャリッジモーター、３５  紙送りローラー、４４  プラテン、５０  ロール、５２  印刷予定領域、５４  穴、７０  コントローラー、７２  ＣＰＵ、７３  フラッシュＲＯＭ、７４  ＲＡＭ、７９  インターフェイス。
【図１】
0005617266.tif 000002
【図２】
0005617266.tif 000003
【図３】
0005617266.tif 000004
【図４】
0005617266.tif 000005
【図５】
0005617266.tif 000006
【図６】
0005617266.tif 000007